(57)【要約】【課題】表示装置と別筐体のスピーカーシステムを用いた場合であっても、表示装置の表示方向に応じた音像定位を実現する。【解決手段】音声信号生成装置１は、表示装置２０の画面の表示方向を示す方向情報を受信する情報Ｉ／Ｆ部３を備える。また、音声信号生成装置１は、複数のスピーカーに出力する複数の音声信号を調整する調整量を、予め定められた基準表示方向と表示方向との相対角度に関連づけて記憶するメモリ４を備える。この調整量は、スピーカーシステム１０が形成する音場が、表示方向と正対した位置において、基準表示方向であるの場合と同様とするための、複数の音声信号の調整量である。音声信号生成装置１のシステムコントローラ２は、受信された方向情報に基づいてメモリ４から取得された調整量に基づいて複数のスピーカーに出力する複数の音声信号の生成を制御する。【選択図】図１
2009239355.tif 000002
【特許請求の範囲】
【請求項１】
入力される音声信号に基づいて、表示装置とは別筐体のスピーカーシステムが有する複数のスピーカーの各々へ出力する複数の音声信号を生成する音声信号生成装置であって、
前記表示装置の画面の表示方向を示す方向情報を受信する受信手段と、
前記複数のスピーカーが前記複数の音声信号に基づいて出力する音声が形成する音場が、前記表示方向と正対した位置において、前記表示装置の表示方向が予め定められた基準表示方向である場合と同様となるように前記複数のスピーカーの各々に出力する複数の音声信号を調整する調整量を、前記基準表示方向と前記表示方向との差に関連づけて記憶する記憶手段と、
前記受信手段により受信された方向情報に基づいて前記記憶手段に記憶された調整量を参照し、前記入力される音声信号を、該参照により取得された調整量に基づいて調整し、前記複数のスピーカーに出力する複数の音声信号を生成する制御手段と、
を備える音声信号生成装置。
【請求項２】
前記記憶手段に記憶される調整量は、前記複数のスピーカーごとの音声信号の遅延処理量であり、
前記制御手段は、前記入力される音声信号を前記参照により取得された遅延処理量に基づいて遅延して、前記複数のスピーカーに出力する複数の音声信号を生成するように制御する請求項１に記載の音声信号生成装置。
【請求項３】
前記記憶手段に記憶される調整量は、前記複数のスピーカーごとの音量調整量であり、
前記制御手段は、前記参照により取得された音量調整量に基づいて音量調整して、前記複数のスピーカーに出力する複数の音声信号を生成するように制御する請求項１又は２に記載の音声信号生成装置。
【請求項４】
前記入力される音声信号は、前記表示装置に表示される映像に関する音声信号である請求項１〜３のいずれか一項に記載の音声信号生成装置。
【請求項５】
前記受信手段は、前記表示装置の機種を示す機種情報をさらに受信し、
前記記憶手段は、前記表示装置の機種ごとの調整量情報をさらに記憶し、
前記制御手段は、前記受信手段により受信された方向情報及び機種情報に基づいて前記記憶手段に記憶された調整量情報を参照し、該参照により取得された調整量に基づいて前記入力される音声信号を調整し、前記複数のスピーカーに出力する複数の音声信号を生成する請求項１〜４のいずれか一項に記載の音声信号生成装置。
【請求項６】
入力される音声信号に基づいて、表示装置とは別筐体のスピーカーシステムが有する複数のスピーカーの各々へ出力する複数の音声信号を生成し、前記複数のスピーカーが前記複数の音声信号に基づいて出力する音声が形成する音場が、前記表示装置の表示方向と正対した位置において、前記表示装置の表示方向が予め定められた基準表示方向である場合と同様となるように前記複数のスピーカーの各々に出力する複数の音声信号を調整する調整量を、前記基準表示方向と前記表示方向との差に関連づけて記憶する記憶手段を有する音声信号生成装置の制御方法であって、
前記表示装置の画面の表示方向を示す方向情報を受信する受信工程と、
前記受信工程により受信された方向情報に基づいて、前記記憶手段に記憶された調整量を参照し、前記入力される音声信号を、該参照により取得された調整量に基づいて調整し、前記複数のスピーカーに出力する複数の音声信号を生成する制御工程と、
を有する制御方法。
【請求項７】
表示装置と、
前記表示装置とは別筐体であり、複数のスピーカーを有するスピーカーシステムと、
請求項１〜４のいずれか一項に記載の音声信号生成装置と、
前記表示装置を、画面の表示方向を変更可能に前記スピーカーシステムに設置する設置部材と、
前記設置部材により前記スピーカーシステムに設置された前記表示装置の画面の表示方向を検出して該表示方向を示す方向情報を前記受信手段へ送信する検出手段と、
を備えるオーディオシステム。
【発明の詳細な説明】
【技術分野】
【０００１】
本発明は、スピーカーへ出力する音声信号を生成する音声信号生成装置、その制御方法及びオーディオシステムに関する。
【背景技術】
【０００２】
近年、プラズマテレビや液晶テレビなどの表示装置の大画面化に伴い、画面上に表示される映像と連動して再生される音声の品質向上のため、上記表示装置とは別筐体のスピーカーシステムが普及している。特許文献１には、上述したスピーカーシステムとして、スピーカー、そのスピーカーへ出力する音声信号を生成するための音声調整部（DSP：Digital Signal Processor）と信号増幅器を内蔵したテレビ収納ラックが開示されている。
【０００３】
また、表示装置における視聴位置は利用者の視線に対して画面が垂直となるのが望ましく、特許文献２には、表示画面の角度調整が可能な表示装置が開示されている。具体的には、表示装置本体と本体を支持するためのスタンドから構成され、本体をスタンドの垂直軸を中心として左右に回転させる角度調節機構を備え、リモートコントロール装置によって角度調節機構を駆動する表示装置が開示されている。
【特許文献１】特開２００６−２１１７２４号公報
【特許文献２】特開２００５−９４４３８号公報
【発明の開示】
【発明が解決しようとする課題】
【０００４】
上述した特許文献２に記載の表示装置により、画面の表示方向を利用者が自由に調節することが可能になり、利用者の使い勝手を向上することが可能となった。しかしながら、特許文献１に記載のスピーカーシステムのごとく、表示装置における表示画面の角度調整とスピーカーの配置位置とが連動しない場合は、表示装置の表示方向に応じた音像定位を実現できなかった。
【０００５】
本発明は、表示装置と別筐体のスピーカーシステムを用いた場合であっても、表示装置の表示方向に応じた音像定位を実現する音声信号生成装置、その制御方法及びオーディオシステムを提供することを目的とする。
【課題を解決するための手段】
【０００６】
上記目的は、入力される音声信号に基づいて、表示装置とは別筐体のスピーカーシステムが有する複数のスピーカーの各々へ出力する複数の音声信号を生成する音声信号生成装置であって、前記表示装置の画面の表示方向を示す方向情報を受信する受信手段と、前記複数のスピーカーが前記複数の音声信号に基づいて出力する音声が形成する音場が、前記表示方向と正対した位置において、前記表示装置の表示方向が予め定められた基準表示方向である場合と同様となるように前記複数のスピーカーの各々に出力する複数の音声信号を調整する調整量を、前記基準表示方向と前記表示方向との差に関連づけて記憶する記憶手段と、前記受信手段により受信された方向情報に基づいて前記記憶手段に記憶された調整量を参照し、前記入力される音声信号を、該参照により取得された調整量に基づいて調整し、前記複数のスピーカーに出力する複数の音声信号を生成する制御手段と、を備える本発明による音声信号生成装置によって達成される。
【０００７】
また、上記目的は、入力される音声信号に基づいて、表示装置とは別筐体のスピーカーシステムが有する複数のスピーカーの各々へ出力する複数の音声信号を生成し、前記複数のスピーカーが前記複数の音声信号に基づいて出力する音声が形成する音場が、前記表示装置の表示方向と正対した位置において、前記表示装置の表示方向が予め定められた基準表示方向である場合と同様となるように前記複数のスピーカーの各々に出力する複数の音声信号を調整する調整量を、前記基準表示方向と前記表示方向との差に関連づけて記憶する記憶手段を有する音声信号生成装置の制御方法であって、前記表示装置の画面の表示方向を示す方向情報を受信する受信工程と、前記受信工程により受信された方向情報に基づいて、前記記憶手段に記憶された調整量を参照し、前記入力される音声信号を、該参照により取得された調整量に基づいて調整し、前記複数のスピーカーに出力する複数の音声信号を生成する制御工程と、を有する本発明による音声信号生成装置の制御方法によっても達成される。
【発明の効果】
【０００８】
このような構成により、本発明によれば、表示装置と別筐体のスピーカーシステムを用いた場合であっても、表示装置の表示方向に応じた音像定位を実現することができる。
【発明を実施するための最良の形態】
【０００９】
以下、本発明の実施形態について図を参照して説明する。ただし、発明は以下の実施の形態に限定されない。また、以下に述べる実施形態は、発明の最も好ましい形態を示すものであり、発明の範囲を限定するものではない。
【００１０】
まず、本実施の形態に係るオーディオシステムの構成について、図１〜図５を参照して詳細に説明する。ここで、図１は、本実施の形態に係るオーディオシステム１００の構成を例示するブロック図である。図２は、オーディオシステム１００の正面外観を例示する概念図である。図３、図４は、オーディオシステム１００を俯瞰した状態を例示する概念図である。図５は、音声調整量情報テーブル４ａの内容を例示する概念図である。
【００１１】
図１に示すように、オーディオシステム１００は、スピーカーシステム１０、表示装置２０を備える。スピーカーシステム１０は、音声信号生成装置１、複数のスピーカーとしてのスピーカー９Ｌ及びスピーカー９Ｒを備える。
【００１２】
図２に示すように、スピーカーシステム１０は、表示装置２０とは別筐体であり、筐体１１の上面の水平台部１２で表示装置２０を水平に保持している。スピーカーシステム１０において、スピーカー９Ｌは筐体１１の正面左側に配置され、スピーカー９Ｒは筐体１１の正面右側に配置されている。
【００１３】
なお、好ましくは、スピーカー９Ｌ、スピーカー９Ｒは、それぞれ少なくとも１つのツィーターと少なくとも１つのウーハーとを有する。また、それぞれのスピーカーが備えるユニットの種類、構成、および数は、目的に応じて適時選択され得る。また、筐体１１には、必要に応じて、少なくとも１つのダクトが、スピーカー９Ｌ、スピーカー９Ｒの少なくとも１つずつに設けられる。スピーカーシステム１０では、ダクトを設けることにより、低域の音質を改善することができる。なお、ダクトの形状、数、配置位置等は、目的に応じて適時選択され得る。また、スピーカーの数は、左右スピーカーのほかに、中央スピーカーや低音専用サブウーファーなどを有する場合もある。スピーカーシステム１０では、上述したスピーカー構成とした場合、より効果的に音像定位を実現できる。
【００１４】
表示装置２０は、表示画面上に映像を表示するテレビジョン受信装置などである。表示装置２０の表示構成は、ＰＤＰ、ＬＣＤ、ＳＥＤなどを用いたものであってよい。ここで、ＰＤＰは、Plasma  Display  Panelの略語である。また、ＬＣＤは、Liquid  Crystal  Displayの略語である。また、ＳＥＤは、Surface-Conduction  Electron-emitter  Displayの略語である。
【００１５】
図２に示すように、表示装置２０は、設置部材である台座２１によりスピーカーシステム１０の水平台部１２上に設置される。台座２１は、水平方向（左右）及び垂直方向（上下）の回転軸と軸受けなど有しており（いずれも特に図示しない）、表示装置２０の画面の表示方向を変更可能とする。なお、本実施形態では、台座２１は、表示装置２０の画面の表示方向を左右に変更可能なものとして説明する。
【００１６】
図１に示すように、表示装置２０は、表示画面に表示される映像に関する音声信号３１を音声出力用端子（特に図示しない）などを介して音声信号生成装置１へ出力する。この音声信号３１としては、例えば表示画面に表示される映像と同期して再生すべき音声信号などがある。また、表示装置２０は、音声信号生成装置１から出力される制御信号３４に基づいて、台座２１の回転角を検出する回転角度検出センサ２２を備える。すなわち、この台座２１の回転角とは、表示装置２０の画面の表示方向を示す方向情報である。
【００１７】
回転角度検出センサ２２は、ロータリーエンコーダなどであり、検出した回転角に応じた検出信号３５を出力する。なお、検出信号３５には、制御信号３４に基づいて表示装置２０の不揮発メモリ（特に図示しない）から読み出された機種情報が含まれてもよい。この機種情報とは、製造時などに不揮発メモリへ格納された表示装置２０の機種を示す情報であり、製品番号、型番、機種名などであってよい。
【００１８】
回転角度検出センサ２２が検出する回転角は、例えば図３に例示した方向Ｄ１と表示装置２０の表示方向との相対角度であってよい。図３における方向Ｄ１は、表示装置２０と正対した位置にいる利用者Ｈと、スピーカー９Ｌ、９Ｒの夫々とが、等距離となる方向である。すなわち、方向Ｄ１は、複数のスピーカーで形成される音場についての調整を行っていない場合に、通常の音像定位が得られる方向である。なお、以後の説明では、表示装置２０の表示方向が方向Ｄ１である場合を基準表示方向とする。
【００１９】
表示装置２０は、その表示方向が方向Ｄ１である時に、回転角度検出センサ２２の検出角度が０°となるように予め設置されている。又は、表示装置２０は、回転角度検出センサ２２の検出角度をリセットする構成を有しており、表示方向が方向Ｄ１である時に回転角度検出センサ２２の検出角度がリセットされてもよい。
【００２０】
従って、図４に示すように、回転角度検出センサ２２は、方向Ｄ１と方向Ｄ２との相対角度を検出し、その相対角度を示す方向情報としての検出信号３５を出力する。すなわち、回転角度検出センサ２２は、基準表示方向と表示装置２０の表示方向との差を検出している。図４に例示した方向Ｄ２は、利用者Ｈの移動に伴って調整された表示装置２０の表示方向である。具体的には、方向Ｄ２は、表示装置２０の画面の表示方向と移動後の利用者Ｈとが正対し、利用者Ｈの視線に対して画面が垂直となる方向である。
【００２１】
図１に示すように、音声信号生成装置１は、表示装置２０から入力される音声信号３１に基づいて、スピーカー９Ｌ、スピーカー９Ｒに出力する個々の音声信号３２、３３を生成する。具体的には、音声信号生成装置１は、システムコントローラ２、情報Ｉ／Ｆ部３、情報Ｉ／Ｆ部３、メモリ４、音声Ｉ／Ｆ部５、遅延処理制御部６、音量制御部７、増幅器８Ｌ、８Ｒを備える。
【００２２】
システムコントローラ２は、音声信号生成装置１の動作を中央制御する。具体的には、システムコントローラ２は、ＣＰＵ（Central  Processing  Unit）、ＲＡＭ（Random  Access  Memory）、ＲＯＭ（Read  Only  Memory）などを有する構成である。システムコントローラ２は、ＲＯＭやメモリ４に記憶されたプログラムデータをＲＡＭの作業領域に展開し、当該展開されたプログラムデータとＣＰＵとの協働により各部を統括制御する。
【００２３】
例えば、システムコントローラ２は、表示装置２０の機種情報や方向情報を取得するための制御信号３４を情報Ｉ／Ｆ部３を介して表示装置２０へ送信させる。システムコントローラ２は、情報Ｉ／Ｆ部３を介して受信した機種情報、方向情報に基づきメモリ４に記憶されている音声調整量情報テーブル４ａを参照して方向情報に応じた調整量を取得する。次いで、システムコントローラ２は、取得した調整量に基づいて、遅延処理制御部６や音量制御部７を制御する。
【００２４】
情報Ｉ／Ｆ部３は、システムコントローラ２の制御の下、表示装置２０へ制御信号３４を送信し、回転角度検出センサ２２によって検出された方向情報や、その方向情報とともに送信される機種情報を含む検出信号３５を受信する。すなわち、情報Ｉ／Ｆ部３は、受信手段である。
【００２５】
記憶手段としてのメモリ４は、音声調整量情報テーブル４ａを予め記憶する。図５に示すように、音声調整量情報テーブル４ａは、回転角度検出センサ２２で検出された回転角度ごとに、複数のスピーカーに対応した音声チャンネルごとの音声遅延処理量、音量調整量などの調整量情報を記憶する。
【００２６】
すなわち、音声調整量情報テーブル４ａは、複数のスピーカーへ出力する個々の音声信号の調整量を示す調整量情報を、前述した表示方向と基準表示方向との差に関連づけて記憶している。従って、音声信号生成装置１は、音声調整量情報テーブル４ａを参照することで、表示方向と基準表示方向との差に応じた各々のスピーカーの調整量を取得できる。
【００２７】
なお、調整量情報は、前述した基準表示方向の場合と同様の音像定位を、検出された回転角度の場合の表示方向と正対する位置において実現するための調整量である。
【００２８】
例えば、図５に示すように、音声調整量情報テーブル４ａは、図３に例示した方向Ｄ１に対して時計回りに＋５°表示方向が回転した場合の音声遅延処理量、音声調整量などを記憶する。この場合の表示装置２０の表示方向は図４に例示した方向Ｄ１に対する方向Ｄ２と同様であり、利用者Ｈの位置はスピーカー９Ｌに近い位置となる。そして、この位置における音声遅延処理量は、スピーカー９Ｌの左チャンネルをスピーカー９Ｒに対して＋２ｍｓ分遅延させるものである。従って、音声信号生成装置１では、利用者Ｈに近いスピーカーの音声出力を遅延させることで、基準表示方向の場合と同様の音像定位を、上述した表示方向と正対する位置で実現できる。
【００２９】
また、上述した表示方向における音量調整量は、スピーカー９Ｒの右チャンネルをスピーカー９Ｌに対して＋１ｄＢ分増加させるものである。従って、音声信号生成装置１では、利用者Ｈに遠いスピーカーの音量を増加させることで、基準表示方向の場合と同様の音像定位を、上述した表示方向と正対する位置で実現できる。
【００３０】
音声Ｉ／Ｆ部５は、スピーカーシステム１０から出力された音声信号３１を受信し、スピーカーシステム１０のスピーカー９Ｌ、９Ｒに対応した音声チャンネルごとの音声信号を次段へ出力する。また、音声Ｉ／Ｆ部５は、次段の遅延処理制御部６、音量制御部７において音声チャンネルごとの信号処理が可能な音声信号フォーマットへ入力された音声信号３１を変換して出力する。例えば、音声Ｉ／Ｆ部５は、音声信号３１が圧縮されたデジタル音声信号である場合は復号化し、音声チャンネルごとのデジタル音声信号を出力する。
【００３１】
なお、上述した情報Ｉ／Ｆ部３、音声Ｉ／Ｆ部５の通信方式としては、ＩＥＥＥ１３９４やＨＤＭＩ−ＣＥＣなどであってよい。ここで、ＩＥＥＥ１３９４は、Institute  of  Electrical  and  Electronic  Engineers  1394の略である。また、ＨＤＭＩ−ＣＥＣは、High-Definition  Multimedia  Interface-Consumer  Electronics  Controlの略である。例えば、ＨＤＭＩ−ＣＥＣの場合であれば、ＣＥＣのベンダーコマンドとして表示装置２０の機種情報と回転角度を取得するためのコマンドを設けてよい。音声信号生成装置１は、このコマンドを用いて表示装置２０の各種情報を取得し、入手した情報をシステムコントローラ２へ伝送することが可能となる。
【００３２】
遅延処理制御部６は、システムコントローラ２の制御の下、音声Ｉ／Ｆ部５から出力された音声チャネルごとの個々の音声信号に対して遅延処理を行う。音量制御部７は、システムコントローラ２の制御の下、遅延処理制御部６から出力された音声チャンネルごとの個々の音声信号に対して音量調整を行う。
【００３３】
次に、音声信号生成装置１のシステムコントローラ２の制御の下で行われる音声調整制御処理について、図６を参照して詳細に説明する。ここで、図６は、音声調整制御処理を示すフローチャートである。
【００３４】
図６に示すように、処理が開始されると、システムコントローラ２は、方向情報を音声信号生成装置１へ送信させるための出力を情報Ｉ／Ｆ部３を介した制御信号３４により指示する（Ｓ１）。この方向情報の出力指示は、利用者が表示装置２０を回転させているか否かを把握するために表示装置２０に対して行われる。
【００３５】
表示装置２０では、音声信号生成装置１からの制御信号３４に従って台座２１の回転角度を回転角度検出センサ２２により検出する（Ｓ２）。表示装置２０では、検出した回転角度を示す方向情報を検出信号３５として情報Ｉ／Ｆ部３へ送信する（Ｓ３）。システムコントローラ２は、情報Ｉ／Ｆ部３を介して送信された方向情報を受信する（Ｓ４）。
【００３６】
次いで、システムコントローラ２は、受信した方向情報に基づいて、表示装置２０が回転されているか否かを判別する（Ｓ５）。なお、このＳ５における判別では、回転の開始を判別してもよい。また、Ｓ５では、複数のスピーカーへ出力する音声信号の調整が不要な基準表示方向（図３の方向Ｄ１等）に対する回転の有無を検出してもよい。
【００３７】
システムコントローラ２は、Ｓ５において回転していると判定した場合、メモリ４から方向情報が示す回転角度に対応した音声調整量を取得する（Ｓ６）。具体的には、システムコントローラ２は、方向情報に基づいて音声調整量情報テーブル４ａを参照し、音声遅延処理量、音量調整量を取得する。システムコントローラ２は、取得した音声遅延処理量、音量調整量に基づいて、遅延処理制御部６ならびに音量制御部７を制御し、複数のスピーカーへ出力する複数の音声信号の調整を実行する（Ｓ７）。次いで、システムコントローラ２は、Ｓ７において調整された音声信号を各々のスピーカーへ出力するように制御する（Ｓ８）。
【００３８】
具体的には、方向情報が−５°であった場合、システムコントローラ２は、図５に例示した音声調整量情報テーブル４ａから音声遅延処理量として、左チャンネル０ｍｓ、右チャンネル＋２ｍｓを取得する。同様に、システムコントローラ２は、音量調整量として、左チャンネル＋１ｄＢ、右チャンネル０ｄＢを取得する。システムコントローラ２は、上述した音声遅延処理量、音量調整量で遅延処理制御部６、音量制御部７を制御し、複数のスピーカーへ音声信号を出力させる。すなわち、音声信号生成装置１では、前述した相対角度が−５°である場合の表示方向にいる利用者に応じて、複数のスピーカーからの音声出力を調整可能となる。また、音声信号生成装置１における音声調整は、基準表示方向と正対した位置における音場と同様となるように行われる。従って、音声信号生成装置１を用いたオーディオシステム１００では、表示装置２０と別筐体のスピーカーシステム１０を用いた場合であっても、表示装置２０の表示方向に応じた音像定位を実現できる。
【００３９】
［変形例］
次に、上述した実施の形態の変形例について、図７、図８を参照して詳細に説明する。ここで、図７は、音声調整量情報テーブル４ｂの内容を例示する概念図である。図８は、変形例における音声調整制御処理を示すフローチャートである。なお、以下で説明する変形例において、前述した説明と同一の構成や動作については同じ符号を付して説明を省略する。
【００４０】
図７に示すように、変形例では、前述したメモリ４に音声調整量情報テーブル４ｂが記憶されている。音声調整量情報テーブル４ｂは、機種毎の調整量情報、すなわち、表示装置２０の機種を示す機種情報ごとに前述した音声調整量情報テーブル４ａを記憶する。例えば、音声調整量情報テーブル４ｂは、○○××という名称の機種に関する調整量として、回転角度検出センサ２２で検出された角度ごとの音声遅延処理量、音声調整量を記憶する。従って、音声信号生成装置１は、音声調整量情報テーブル４ｂを参照することで、機種及び表示方向と基準表示方向との差に応じた各々のスピーカーの調整量を取得できる。
【００４１】
図８に示すように、この変形例において前述した音声調整制御処理と異なる部分は、先ず、表示装置２０から音声信号生成装置１へ機種情報を含む検出信号３５を送信する処理（Ｓ３ａ、Ｓ３ｂ）を含むことである。具体的には、表示装置２０は、制御信号３４に従って不揮発メモリなどから機種情報を取得する（Ｓ３ａ）。次いで、表示装置２０は、回転角度検出センサ２２で検出した方向情報のほかに、取得した機種情報を含む検出信号３５を情報Ｉ／Ｆ部３へ送信する（Ｓ３ｂ）。
【００４２】
また、前述した音声調整制御処理と異なる部分は、音声調整量情報テーブル４ｂを参照して機種と回転角度に対応した音声調整量を取得する処理（Ｓ６ａ）を含むことである。具体的には、システムコントローラ２は、Ｓ５において回転していると判定した場合、音声調整量情報テーブル４ｂを参照して機種と回転角度に対応した音声調整量を取得する（Ｓ６ａ）。従って、変形例では、表示装置２０の機種と回転角度に応じて複数のスピーカーへ出力する個々の音声信号を調整して生成することができる。
【００４３】
例えば、機種が異なる表示装置２０では表示画面の大きさも大小様々である。このため、機種が異なる場合は、表示画面の大小に従い、利用者の視聴位置がオーディオシステム１００に対して前後する場合がある。このように、機種によって利用者の視聴位置が前後する場合であっても、機種に応じて個々のスピーカーからの音声出力を調節することができる。従って、変形例では、機種に応じた音像定位を実現することができる。
【００４４】
以上のように、音声信号生成装置１は、入力される音声信号に基づいて、表示装置２０とは別筐体のスピーカーシステム１０が有するスピーカー９Ｌ、９Ｒへ出力する音声信号を生成する。また、音声信号生成装置１は、表示装置２０の画面の表示方向を示す方向情報を受信する情報Ｉ／Ｆ部３を備える。また、音声信号生成装置１は、複数のスピーカーに出力する個々の音声信号を調整する調整量を、予め定められた基準表示方向と表示方向との相対角度に関連づけて記憶するメモリ４を備える。この調整量は、スピーカーシステム１０が形成する音場が、表示方向と正対した位置において、基準表示方向であるの場合と同様とするための、個々の音声信号の調整量である。また、音声信号生成装置１は、システムコントローラ２を備えている。このシステムコントローラ２は、受信された方向情報に基づいてメモリ４に記憶された調整量を参照する。次いで、システムコントローラ２は、メモリ４を参照して取得された調整量に基づいて複数のスピーカーに出力する個々の音声信号の生成を制御する。
【００４５】
このため、音声信号生成装置１は、表示方向と正対した位置において、基準表示方向である場合と同様の音場を形成するように複数のスピーカーに出力する個々の音声信号の生成を制御することができる。従って、音声信号生成装置１は、表示装置２０の表示方向と正対した利用者に応じて複数のスピーカーにより再現される音場を調整することができる。この音場調整により、音声信号生成装置１を用いたオーディオシステム１００では、表示装置２０と正対した利用者に応じた音像定位を実現することが可能となる。
【００４６】
また、音声信号生成装置１において、メモリ４に記憶される調整量は、複数のスピーカーの個々の音声信号を遅延させる遅延処理量である。システムコントローラ２は、メモリ４を参照して取得された遅延処理量に基づいて、複数のスピーカーに出力する個々の音声信号を遅延して生成するように制御する。従って、音声信号生成装置１は、複数のスピーカーでの音声出力の遅延具合を制御することで、表示装置２０と正対した利用者に応じた音像定位を実現する。
【００４７】
また、音声信号生成装置１において、メモリ４に記憶される調整量は、複数のスピーカーごとの音量調整量である。システムコントローラ２は、参照して取得された音量調整量に基づいて複数のスピーカーに出力する個々の音声信号の生成を制御する。従って、音声信号生成装置１は、複数のスピーカーでの音量を制御することで、表示装置２０と正対した利用者に応じた音像定位を実現する。
【００４８】
また、音声信号生成装置１において、情報Ｉ／Ｆ部３は、表示装置２０の機種を示す機種情報をさらに受信する。また、メモリ４は、表示装置２０の機種ごとの調整量情報をさらに記憶している。システムコントローラ２は、情報Ｉ／Ｆ部３により受信された方向情報及び機種情報に基づいてメモリ４に記憶された調整量情報を参照する。次いで、システムコントローラ２は、参照して取得された調整量に基づいて複数のスピーカーに出力する個々の音声信号の生成を制御する。従って、音声信号生成装置１は、表示装置２０の機種に応じて個々のスピーカーでの遅延具合や音量などを調整可能であり、機種に応じた音像定位を実現する。
【００４９】
なお、上述した実施の形態における記述は、一例を示すものであり、これに限定するものではない。上述した実施の形態における構成及び動作に関しては、適宜変更が可能である。
【００５０】
例えば、本実施の形態では、表示装置２０の水平方向の回転を例示して説明した。しかしながら、垂直方向の回転であっても同様に音場の調整が可能であることは言うまでもない。また、スピーカーシステム１０に配置されるスピーカーは、表示装置２０に対して左右に設置される形態以外に、表示装置２０に対して上下に設置されてもよい。この上下に設置される形態としては２２ｃｈサラウンドシステムなどがある。表示装置２０の表示方向の垂直方向における回転に応じて、上下に設置された複数のスピーカーの個々の音声出力を調整した場合は、２２ｃｈサラウンドシステムにおける音場調整が可能となる。
【００５１】
また、表示装置２０の設置部材は、水平台部１２上に設置する台座２１以外に、筐体１１の側面や底面に吊り下げて設置するものであってよい。例えばスピーカーシステム１０が壁掛け型や天井設置型である場合は、筐体１１の側面や底面から表示装置２０を吊り下げて設置する。このように吊り下げた場合は、前述した相対角度を吊り下げ部材の内部などに設けられた回転角度検出センサ２２で検出する。これにより、表示装置２０を吊り下げて設置する場合であっても、表示装置２０の表示方向に応じた音場調整が可能である。また、設置部材は、スピーカーシステム１０側に設けられるものであってもよい。例えば、設置部材は、台座２１の代わりとして、水平台部１２上に設けられた回転台であってよい。
【００５２】
また、表示装置２０の表示方向の検出については、回転角度検出センサ２２で検出する以外の構成であってもよい。例えば、表示装置２０がステッピングモータなどにより表示方向の調整が可能である場合は、その駆動量に基づいて角度を算出してもよい。ただし、駆動回数が複数回に及ぶ場合は、駆動履歴をメモリなどに保存する必要がある。
【００５３】
また、基準表示方向については、図３の方向Ｄ１を例示したが、特にこの方向に限定しない。例えば、音声調整量情報テーブル４ａにおける回転角度と調整量情報との対応関係について、キャリブレーションを行う構成を有するものであれば、いずれの表示方向を基準としてもよい。
【００５４】
また、システムコントローラ２は、複数のスピーカーに出力する個々の音声信号の生成について、遅延具合や音量以外に、音声の周波数特性などを補正するように制御してもよい。例えば、音声調整量情報テーブルは、音声遅延処理量、音声調整量、周波数補正量などを相対角度に関連づけて記憶してよい。システムコントローラ２は、この音声調整量情報テーブルを参照することで、表示装置２０の表示方向に応じて、複数のスピーカーに出力する個々の音声信号の周波数特性補正することができる。この場合は、表示装置２０と正対した利用者に応じて、周波数補正による音像定位を実現できる。
【００５５】
また、遅延処理制御部６、音量制御部７は、システムコントローラ２の制御の下、デジタル音声信号以外に、アナログ音声信号の遅延や音量を制御してもよいことは言うまでもない。
【図面の簡単な説明】
【００５６】
【図１】本実施の形態に係るオーディオシステムの構成を例示するブロック図である。
【図２】オーディオシステムの正面外観を例示する概念図である。
【図３】オーディオシステムを俯瞰した状態を例示する概念図である。
【図４】オーディオシステムを俯瞰した状態を例示する概念図である。
【図５】音声調整量情報テーブルの内容を例示する概念図である。
【図６】音声調整制御処理を示すフローチャートである。
【図７】変形例における音声調整量情報テーブルの内容を例示する概念図である。
【図８】変形例における音声調整制御処理を示すフローチャートである。
【符号の説明】
【００５７】
１００  オーディオシステム
１  音声信号生成装置
２  システムコントローラ
３  情報Ｉ／Ｆ部
４  メモリ
５  音声Ｉ／Ｆ部
６  遅延処理制御部
７  音量制御部
８Ｌ  増幅器
８Ｒ  増幅器
９Ｌ  スピーカー
９Ｒ  スピーカー
１０  スピーカーシステム
２０  表示装置
２１  台座
２２  回転角度検出センサ
【図１】
2009239355.tif 000003
【図２】
2009239355.tif 000004
【図３】
2009239355.tif 000005
【図４】
2009239355.tif 000006
【図５】
2009239355.tif 000007
【図６】
2009239355.tif 000008
【図７】
2009239355.tif 000009
【図８】
2009239355.tif 000010
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
入力される音声信号に基づいて、表示装置とは別筐体のスピーカーシステムが有する複数のスピーカーの各々へ出力する複数の音声信号を生成する音声信号生成装置であって、
前記表示装置の画面の方向を示す方向情報を受信する受信手段と、
前記複数のスピーカーが前記複数の音声信号に基づいて出力する音声が形成する音場が、前記画面の方向と正対した位置において、前記画面の方向が予め定められた基準表示方向である場合と同様となるように前記複数のスピーカーの各々に出力する複数の音声信号を調整する調整量を、前記基準表示方向と前記画面の方向との差に関連づけて記憶する記憶手段と、
前記受信手段により受信された方向情報に基づいて前記記憶手段に記憶された調整量を参照し、前記入力される音声信号を、該参照により取得された調整量に基づいて調整し、前記複数のスピーカーに出力する複数の音声信号を生成する制御手段と、
を備える音声信号生成装置。
【請求項２】
前記記憶手段に記憶される調整量は、前記複数のスピーカーごとの音声信号の遅延処理量であり、
前記制御手段は、前記入力される音声信号を前記参照により前記複数のスピーカーごとに取得された遅延処理量に基づいて遅延して、前記複数のスピーカーに出力する複数の音声信号を生成するように制御する請求項１に記載の音声信号生成装置。
【請求項３】
前記記憶手段に記憶される調整量は、前記複数のスピーカーごとの音量調整量であり、
前記制御手段は、前記参照により前記複数のスピーカーごとに取得された音量調整量に基づいて音量調整して、前記複数のスピーカーに出力する複数の音声信号を生成するように制御する請求項１又は２に記載の音声信号生成装置。
【請求項４】
前記入力される音声信号は、前記表示装置に表示される映像に関する音声信号である請求項１乃至３のいずれか一項に記載の音声信号生成装置。
【請求項５】
前記受信手段は、前記表示装置の機種を示す機種情報をさらに受信し、
前記記憶手段は、前記表示装置の機種ごとの調整量情報をさらに記憶し、
前記制御手段は、前記受信手段により受信された方向情報及び機種情報に基づいて前記記憶手段に記憶された調整量情報を参照し、該参照により取得された調整量に基づいて前記入力される音声信号を調整し、前記複数のスピーカーに出力する複数の音声信号を生成する請求項１乃至４のいずれか一項に記載の音声信号生成装置。
【請求項６】
入力される音声信号に基づいて、表示装置とは別筐体のスピーカーシステムが有する複数のスピーカーの各々へ出力する複数の音声信号を生成し、前記複数のスピーカーが前記複数の音声信号に基づいて出力する音声が形成する音場が、前記表示装置の画面の方向と正対した位置において、前記画面の方向が予め定められた基準表示方向である場合と同様となるように前記複数のスピーカーの各々に出力する複数の音声信号を調整する調整量を、前記基準表示方向と前記画面の方向との差に関連づけて記憶する記憶手段を有する音声信号生成装置の制御方法であって、
前記画面の方向を示す方向情報を受信する受信工程と、
前記受信工程により受信された方向情報に基づいて、前記記憶手段に記憶された調整量を参照し、前記入力される音声信号を、該参照により取得された調整量に基づいて調整し、前記複数のスピーカーに出力する複数の音声信号を生成する制御工程と、
を有する制御方法。
【請求項７】
表示装置と、
前記表示装置とは別筐体であり、複数のスピーカーを有するスピーカーシステムと、
請求項１乃至４のいずれか一項に記載の音声信号生成装置と、
前記表示装置を、画面の方向を変更可能に前記スピーカーシステムに設置する設置部材と、
前記設置部材により前記スピーカーシステムに設置された前記画面の方向を検出して該方向を示す方向情報を前記受信手段へ送信する検出手段と、
を備えるオーディオシステム。
【手続補正２】
【補正対象書類名】明細書
【補正対象項目名】０００６
【補正方法】変更
【補正の内容】
【０００６】
上記目的は、入力される音声信号に基づいて、表示装置とは別筐体のスピーカーシステムが有する複数のスピーカーの各々へ出力する複数の音声信号を生成する音声信号生成装置であって、前記表示装置の画面の方向を示す方向情報を受信する受信手段と、前記複数のスピーカーが前記複数の音声信号に基づいて出力する音声が形成する音場が、前記画面の方向と正対した位置において、前記画面の方向が予め定められた基準表示方向である場合と同様となるように前記複数のスピーカーの各々に出力する複数の音声信号を調整する調整量を、前記基準表示方向と前記画面の方向との差に関連づけて記憶する記憶手段と、前記受信手段により受信された方向情報に基づいて前記記憶手段に記憶された調整量を参照し、前記入力される音声信号を、該参照により取得された調整量に基づいて調整し、前記複数のスピーカーに出力する複数の音声信号を生成する制御手段と、を備える本発明による音声信号生成装置によって達成される。
【手続補正３】
【補正対象書類名】明細書
【補正対象項目名】０００７
【補正方法】変更
【補正の内容】
【０００７】
また、上記目的は、入力される音声信号に基づいて、表示装置とは別筐体のスピーカーシステムが有する複数のスピーカーの各々へ出力する複数の音声信号を生成し、前記複数のスピーカーが前記複数の音声信号に基づいて出力する音声が形成する音場が、前記表示装置の画面の方向と正対した位置において、前記画面の方向が予め定められた基準表示方向である場合と同様となるように前記複数のスピーカーの各々に出力する複数の音声信号を調整する調整量を、前記基準表示方向と前記画面の方向との差に関連づけて記憶する記憶手段を有する音声信号生成装置の制御方法であって、前記画面の方向を示す方向情報を受信する受信工程と、前記受信工程により受信された方向情報に基づいて、前記記憶手段に記憶された調整量を参照し、前記入力される音声信号を、該参照により取得された調整量に基づいて調整し、前記複数のスピーカーに出力する複数の音声信号を生成する制御工程と、を有する本発明による音声信号生成装置の制御方法によっても達成される。